(57)【要約】【課題】  移動体に搭載されている蓄電池は、通常、蓄電池固定用トレイ、固定用金具を用いて固定されると共に、負極端子が負極ケ−ブルを介してボディ−ア−ス機能を備えた移動体の構成部に接続されているのに対して、上記固定用具および負極ケ−ブルを使用せず、蓄電池の固定ならびに負極端子のボディ−ア−スを可能にした移動体を提供することにある。【解決手段】  蓄電池を備えた移動体において、前記蓄電池がボディーアース機能を備えた移動体構成部に負極端子で直接固定されたことを特徴とするものである。【選択図】      図３
2005075237.tif 000002
【特許請求の範囲】
【請求項１】
蓄電池を備えた移動体において、
前記蓄電池がボディーアース機能を備えた移動体構成部に負極端子で直接固定されたことを特徴とする移動体。
【発明の詳細な説明】
【技術分野】
【０００１】
蓄電池を備えた移動体。
【背景技術】
【０００２】
自動車等の移動体は、エンジン始動用、ヘッドライト，室内灯等の電源として蓄電池を搭載している。図１および図２は、鉛蓄電池を自動車内に固定する方式の一例を示す要部平面図および要部正面図で、１は鉛蓄電池、２１は正極端子、２２は負極端子、３１は正極ターミナル、３２は負極ターミナル、４１は正・負極ターミナル固定用ボルト、４２は固定用ナット、５は蓄電池固定用トレイ、６は蓄電池固定用金具、７１は金具固定用ボルト、７２は金具固定用ナット、８１は正極ターミナル３１に接続さている正極ケーブル、８２は負極ターミナル３２に接続されている負極ケーブルをそれぞれ示す。
【０００３】
図１および図２に示すように、鉛蓄電池１は蓄電池固定用トレイ５に載置され、蓄電池上面に配した固定用金具６と固定用ボルト７１およびナット７２とで固定される。また、正極端子２１と正極ターミナル３１、負極端子２２と負極ターミナル３２とがボルト４１およびナット４２によりそれぞれ固定される。負極ターミナル３２と接続されている負極ケーブル８２は、車体の金属部に接続されている、すなわちボディーアースされている。
【０００４】
自動車を含む移動体はその構成部品点数が多く、それらを収納した収納部（エンジンルーム等）には空間に余裕のないのが現状である。したがって、図１および２図２に示した固定方式では、エンジンルーム内において固定用トレイ５用の空間を確保するのが容易でなく、できるだけコンパクトな固定方式が望まれている。
【０００５】
上記に対して、トレイを使用せず、負極端子用の固定部がボディーアース機能を備えた車体の金属部に直接接続された固定方法が実開平５−１０１１２で提案されている。
【０００６】
この方式では、蓄電池の一方を固定するためのブラッケトを設ける必要があると共に前記ブラッケトに嵌合するため電槽の一部を突出した特殊な形状にする必要があり、構造が複雑になる。また、他方の固定には、依然、固定金具が必要であるといった問題点があり、コンパクトにしかも固定場所を選ばずに蓄電池を移動体内に固定する点では十分とはいえない。
【０００７】
【特許文献１】実開平５−１０１１２
【発明の開示】
【発明が解決しようとする課題】
【０００８】
本願発明が解決しようとする課題は、蓄電池固定用トレイ、固定用金具およびボディーアース機能を備えた移動体の構成部と接続するための負極ケーブルを使用せずに移動体内に蓄電池をコンパクトに固定可能な移動体を提供することにある。
【課題を解決するための手段】
【０００９】
上記課題を解決するための手段として、請求項１によれば、蓄電池を備えた移動体において、前記蓄電池がボディーアース機能を備えた移動体構成部に負極端子で直接固定されたことを特徴とするものである。
【００１０】
従来では、上述したように蓄電池固定用トレイ、固定用金具を用いて固定すると共に、負極端子を負極ケーブルを介してボディーアース機能を備えた移動体の構成部に接続するといった複雑な構造であったのに対して、蓄電池の負極端子の形状およびその設置角度を工夫すると共に、横向きに設置しても電解液が漏れない蓄電池を採用することによって、ボディーアース機能を備えた移動体構成部に負極端子を直接固定するだけの単純な方法で蓄電池が固定可能になると同時にボディーアースができる方式を本願発明者は見出した。
【００１１】
周知のように、移動体に搭載されている蓄電池の負極端子は太いケーブルで移動体の金属部、例えば、シャーシーと接続されており、前記移動体の金属部は共通負極端子の機能を備えている。したがって、移動体内に設置されている電気部品の負極側はハーネスにより蓄電池の負極端子と直接接続する必要がなく、前記電気部品の負極側を近くのシャーシーに例えばビスで接続するだけでよい。このように、蓄電池の負極端子が移動体の構成部に接続されることによって、前記移動体の構成部が共通負極端子機能を備えた状態をボディーアース機能と称している。
【発明の効果】
【００１２】
以上、説明したように、従来では、移動体内での蓄電池の固定は、固定用トレイおよび固定用金具を用いると共に負極端子が負極ケーブルを介してボディーアース機能を備えた移動体の構成部、例えば、シャーシーに接続する複雑な方式であったのに対して、本発明によれば、前記ボディーアース機能を備えた移動体の構成部に負極端子で蓄電池を固定することにより上記の部品を使用せずに蓄電池を移動体内に固定可能で、それと同時にケーブルを使用せずにボディーアースも実施でき、移動体内で場所を選ばず非常にコンパクトかつ簡便に蓄電池の固定が可能でその工業的効果が極めて大である。
【発明を実施するための最良の形態】
【００１３】
本発明の実施の形態は、例えば、自動車のシャーシー等のボディーアース機能を備えた部分に負極端子で蓄電池を直接固定することであるが、負極端子のみの固定では蓄電池の固定の強度が十分でない場合には、実施例１を示す図３ように、蓄電池に補助固定部１３を設けることもできる。
【００１４】
さらに、負極端子の形状としては板状、棒状等が採用できる。負極端子は、電気的接続だけでなく、蓄電池を固定する機能をも備えていなければならならないので、振動や衝撃に強い構造にする必要があることは言うまでもなく、その具体的構成は当業者の知識と経験で適宜選択しうる設計事項である。
【実施例】
【００１５】
本発明を実施例でもって詳細に説明する。
【００１６】
図３は、本発明の実施例１を示す要部斜視図で、９１は６セルが直線状に配置されたモノブロックタイプの円筒形鉛蓄電池、１０は穿孔を設けた板状負極端子、１１はボルト式正極端子、１２はボディーアース機能を備えた車体の一部で、この例ではシャーシーである。１３は蓄電池の底側に設けた補助固定部、７１は蓄電池固定用ボルトをそれぞれ示す。
【００１７】
図３に示すように、穿孔を設けた板状負極端子１０とモノブロックタイプの電槽に一体に設けた補助固定部１３との２箇所をボルト７１によりボディーアース機能を有するシャーシー１２に固定すれば、蓄電池の固定と同時にボディーアース部と接続されることになるので、従来のように蓄電池固定用トレイおよび固定用金具が不要であると共に、負極ケーブルも不要で非常にコンパクトに蓄電池を車体に固定できることが理解できる。
【００１８】
本実施例に用いられている円筒形鉛蓄電池は周知のように、通常、電解液が正・負極板およびセパレータに含浸・保持され、遊離の電解液が存在せず、排気口には制御弁が装着された、いわゆる、制御弁式鉛蓄電池の構造を有しており、無漏液、無保守の特性を有していることと前記蓄電池の端子形状を板状にすると共にシャーシー面と端子面が平行である形状にすることが本発明を可能にする重要な要素である。
【００１９】
この例では補助固定部は一つであるが、必要に応じて複数とし、適宜、好適な位置に設けてもよい。また、この例では補助固定部をボディーアース機能を備えた部分に固定しているが、蓄電池の固定が出来ればよく、ボディーアース機能を備えていない部分に固定してもよい。
【００２０】
また、ここでは、補助固定部１３は、電槽と一体に形成された樹脂製のものが採用されているが金属製の補助固定部を電槽成型時に一体に成型したものでもよい。
【００２１】
上記実施例１は、特に、高さ方向が低い座席下の空間を利用して、ボディーアース機能を備えた車体の床に直接、蓄電池を固定するのに好適である。
【００２２】
図４は本発明の他の実施例を示す要部正面図で、９１は６セルが直列に接続されたモノブロックタイプの角形制御弁式鉛蓄電池、１１はテーパ式正極端子をそれぞれ示す。他の構成部材は図１および図３と同じ番号を付記する。
【００２３】
図４に示すように、穿孔を設けた板状負極端子１０および電槽と一体に形成された補助固定部１３がボルト７１によりボディーアース機能を備えたシャーシー１２に固定される。この方式も、実施例１と同様の効果が得られることは容易に理解できる。図４に示す設置方式では、使用している蓄電池が無漏液タイプであるので前記蓄電池を左に９０度回転させても設置可能である。
【００２４】
実施例では円筒形鉛蓄電池あるいは角形制御弁式鉛蓄電池について説明したが、本発明は、ボディーアース機能を備えた車体の構成部に負極端子で蓄電池を直接固定することが特徴であり、鉛蓄電池に限定するものでなく、あらゆる一次電池あるいは二次電池に適用可能であることはいうまでもない。
【図面の簡単な説明】
【００２５】
【図１】移動体での従来の蓄電池の固定方式の一例を示す要部平面図。
【図２】移動体での従来の蓄電池の固定方式の一例を示す要部正面図。
【図３】本発明の実施例１を示す要部斜視図。
【図４】本発明の実施例２を示す要部正面図。
【符号の説明】
【００２６】
１  鉛蓄電池
２１  正極端子
２２  負極端子
５  蓄電池固定用トレイ
６  蓄電池固定用金具
７１  金具固定用ボルト
７２  金具固定用ナット
８１  正極ケーブル
８２  負極ケーブル
９１  円筒形鉛蓄電池
９２  角形制御弁式鉛蓄電池
１０  板状負極端子
１１  ボルト式正極端子
１２  シャーシーの一部
【図１】
2005075237.tif 000003
【図２】
2005075237.tif 000004
【図３】
2005075237.tif 000005
【図４】
2005075237.tif 000006